(57)【要約】  ケース（１０１）は、カバー（１０２）の一部に引っ掛けられるフック（１１０）を有する。カバーは、引っ掛けられたフックを外すための棒材が挿入される筒状の挿入部（１２０）を有する。挿入部は、傾斜部（１２１）と、フックが引っ掛けられる受け部（１２２）とを有する。棒材が挿入部に挿入されて、棒材の先端が傾斜部とフックとの隙間（１２９）に入れられて、棒材が傾斜部に向けて傾けられると、フックが受け部から外れる。
2017141319.tif 000002
【特許請求の範囲】
【請求項１】
物が収められるケースと、
前記ケースに取り付けられるカバーとを備え、
前記ケースは、
前記カバーの一部に引っ掛けられるフックを有し、
前記カバーは、
引っ掛けられたフックを外すための棒材が挿入される筒状の挿入部を有し、
前記挿入部は、
斜めに形成されて筒状の一部を構成する傾斜部と、
前記傾斜部から筒状の内部に向けて突き出た部分であって前記フックが引っ掛かる部分である受け部と
を有する筐体。
【請求項２】
前記受け部は、前記フックが引っ掛けられた場合に前記傾斜部に繋がる根元の部分と前記フックのうちの引っ掛けられた部分との間に前記棒材の先端が入る隙間が生じる程度の長さを有する
請求項１に記載の筐体。
【請求項３】
前記棒材が前記挿入部に挿入されて、前記棒材の先端が前記隙間に入れられて、前記棒材が前記傾斜部に向けて傾けられると、前記フックが前記受け部から外れる
請求項２に記載の筐体。
【請求項４】
前記カバーは、
前記ケースが設けられる方に向けて突き出たリブであって前記フックが前記受け部から外れる程度に前記フックが傾けられた場合に前記フックが当たる箇所に設けられたリブである抑止リブを有する
請求項３に記載の筐体。
【請求項５】
前記フックは、
前記受け部に引っ掛けられる爪部と、
前記爪部に繋がった胴部と、
前記胴部から突き出た部分であって前記胴部が傾けられた場合に前記受け部に当たる部分である突起部と
を有する請求項３に記載の筐体。
【請求項６】
前記カバーは、
前記ケースが設けられる方に向けて突き出たリブであって前記爪部が前記受け部から外れる程度に前記胴部が傾けられた場合に前記フックの一部が当たる箇所に設けられたリブである抑止リブを有する
請求項５に記載の筐体。
【請求項７】
物が収められるケースと、
前記ケースに取り付けられるカバーとを備え、
前記カバーは、
前記ケースの一部に引っ掛けられるフックと、
前記ケースの一部に引っ掛けられたフックを外すための棒材が挿入される挿入部とを有し、
前記ケースは、
斜めに形成されて前記挿入部に対応する箇所に設けられる傾斜部と、
前記フックが引っ掛かる部分である受け部と
を有する筐体。
【請求項８】
前記フックは、
前記受け部に引っ掛けられる爪部と、
前記爪部に繋がった胴部とを有し、
前記爪部は、前記受け部に先端が引っ掛けられた場合に前記胴部と前記受け部との間に前記棒材の先端が入る隙間が生じる程度の高さを有する
請求項７に記載の筐体。
【請求項９】
前記棒材が前記挿入部に挿入されて、前記棒材の先端が前記隙間に入れられて、前記棒材が前記傾斜部に向けて傾けられると、前記爪部が前記受け部から外れる
請求項８に記載の筐体。
【請求項１０】
前記カバーは、
前記ケースが設けられる方に向けて突き出たリブであって前記爪部が前記受け部から外れる程度に前記胴部が傾けられた場合に前記フックの一部が当たる箇所に設けられたリブである抑止リブを有する
請求項９に記載の筐体。
【請求項１１】
前記フックは、
前記受け部に引っ掛けられる爪部と、
前記爪部に繋がった胴部とを有し、
前記胴部は、
前記受け部が配置される方に盛り上がった隆起部を有して、直進カムの形状を成す
請求項７に記載の筐体。
【請求項１２】
前記棒材が前記挿入部に挿入されて押し込まれると、前記棒材の先端が前記受け部と前記隆起部との間に入って、前記胴部が前記受け部から離れる方に傾いて、前記爪部が前記受け部から外れる
請求項１１に記載の筐体。
【請求項１３】
前記カバーは、
前記ケースが設けられる方に向けて突き出たリブであって前記爪部が前記受け部から外れる程度に前記胴部が傾けられた場合に前記フックの一部が当たる箇所に設けられたリブである抑止リブを有する
請求項１２に記載の筐体。
【発明の詳細な説明】
【技術分野】
【０００１】
本発明は、電子機器などの物が収められる筐体に関するものである。
【背景技術】
【０００２】
電子機器の端子台周辺において、各種規格および安全性を満足させる為に保護用のカバーを必要とするものが多い。
そのカバーは、容易に着脱されてはならず、使用者によって何らかの工具を使って意図的に着脱させる必要がある。【０００３】
カバーがビスおよびナットなどの部品を使ってケースに固定される場合、それらの部品を必要とする為、コストが高くなる。
そこで、コストを抑えるため、ビスおよびナットなどの部品の代わりに、可撓性のフックを使ってカバーを固定するものも存在する。【０００４】
特許文献１から特許文献３には、マイナスドライバーのような工具を使って可撓性のフックを変形させることによってカバーを取り外すための構造が開示されている。
しかし、これらの構造では、工具を操作する範囲が分かりづらいため、カバーの取り外しが容易でない可能性がある。
また、フックが変形する範囲を制限するための構造が存在しない為、フックが必要以上に変形して破損する可能性がある。
【先行技術文献】
【特許文献】
【０００５】
【特許文献１】実開昭６３−２９８４０号公報
【特許文献２】特開２００９−２６６４８０号公報
【特許文献３】特開昭５９−９０３７２号公報
【発明の概要】
【発明が解決しようとする課題】
【０００６】
本発明は、ケースにカバーを固定するフックを外す際に、フックを破損しないようにすることを目的とする。
【課題を解決するための手段】
【０００７】
本発明の筐体は、
物が収められるケースと、
前記ケースに取り付けられるカバーとを備え、
前記ケースは、
前記カバーの一部に引っ掛けられるフックを有し、
前記カバーは、
引っ掛けられたフックを外すための棒材が挿入される筒状の挿入部を有し、
前記挿入部は、
斜めに形成されて筒状の一部を構成する傾斜部と、
前記傾斜部から筒状の内部に向けて突き出た部分であって前記フックが引っ掛かる部分である受け部とを有する。
【発明の効果】
【０００８】
本発明によれば、フックを外すための棒材を操作する範囲が傾斜部によって制限されるため、フックが棒材によって変形される範囲が制限される。これにより、フックの破損を防ぐことができる。
【図面の簡単な説明】
【０００９】
【図１】実施の形態１における筐体１００の構成図。
【図２】実施の形態１における固定部１０９の側断面図。
【図３】実施の形態１における固定部１０９の動作を示す図。
【図４】実施の形態１における固定部１０９の動作を示す図。
【図５】実施の形態２における固定部１０９の側断面図。
【図６】実施の形態２における固定部１０９の動作を示す図。
【図７】実施の形態２における固定部１０９の動作を示す図。
【図８】実施の形態３における固定部１０９の側断面図。
【図９】実施の形態３における固定部１０９の動作を示す図。
【図１０】実施の形態３における固定部１０９の動作を示す図。
【図１１】実施の形態４における固定部１０９の側断面図。
【図１２】実施の形態４における固定部１０９の動作を示す図。
【図１３】実施の形態４における固定部１０９の動作を示す図。
【発明を実施するための形態】
【００１０】
実施の形態１．
電子機器などが収められる筐体１００について、図１から図４に基づいて説明する。
【００１１】
＊＊＊構成の説明＊＊＊
図１および図２に基づいて、筐体１００の構成について説明する。
図１において、筐体１００は、物が収められるケース１０１と、ケース１０１に取り付けられるカバー１０２とを備える。具体的には、ケース１０１は電子機器を収めるためのケースであり、カバー１０２は電子機器の端子を保護するためのカバーである。
カバー１０２がケース１０１の前側に取り付けられると、破線の楕円で囲った部分で、カバー１０２がケース１０１に固定される。
破線の楕円で囲った部分を固定部１０９と呼び、固定部１０９の構造について、以降で説明する。
【００１２】
図２に、ケース１０１がカバー１０２に取り付けられたときの固定部１０９の側断面を示す。
ケース１０１は、カバー１０２の一部に引っ掛けられるフック１１０を有する。フック１１０は可撓性を持つ。つまり、フック１１０は、たわませることが可能である。
カバー１０２は、引っ掛けられたフックを外すための棒材が挿入される挿入部１２０を有する。具体的な棒材は、マイナスドライバーのような工具である。
【００１３】
挿入部１２０は、傾斜部１２１と受け部１２２とで構成される。
傾斜部１２１は、斜めに形成された部分である。
受け部１２２は、傾斜部１２１から筒状の内部に向けて突き出た部分であって、フック１１０が引っ掛かる部分である。
【００１４】
フック１１０は、爪部１１１と胴部１１２とを有する。フック１１０の形状は鉤状である。
爪部１１１は、受け部１２２に引っ掛けられる部分である。
胴部１１２は、爪部１１１に繋がった部分である。具体的には、胴部１１２の先端の部分に爪部１１１が設けられている。
【００１５】
受け部１２２は、フック１１０の爪部１１１が引っ掛けられた場合に傾斜部１２１に繋がる根元の部分とフック１１０の爪部１１１との間に棒材の先端が入る隙間１２９が生じる程度の長さを有する。
【００１６】
さらに、カバー１０２は、ケース１０１が設けられる方に向けて突き出た抑止リブ１２３を有する。抑止リブ１２３の形状は板状である。
抑止リブ１２３は、フック１１０の爪部１１１が受け部１２２から外れる程度にフック１１０の胴部１１２が傾けられた場合にフック１１０の先端が当たる箇所に設けられている。具体的には、抑止リブ１２３は、爪部１１１が当たる箇所に設けられている。爪部１１１は胴部１１２の先端に位置する。
【００１７】
＊＊＊動作の説明＊＊＊
図３および図４に基づいて、ケース１０１がカバー１０２から取り外されるときの固定部１０９の動作について説明する。
図３において、棒材１０３が挿入部１２０に挿入されて、棒材１０３の先端が隙間１２９に入れられる。そして、棒材１０３が傾斜部１２１に向けて傾けられると、固定部１０９は図４の状態になる。
【００１８】
図４において、棒材１０３が傾斜部１２１に向けて傾けられると、棒材１０３の先端で爪部１１１が押し下げられる。
このとき、フック１１０は、胴部１１２がたわんで、胴部１１２が傾いて、爪部１１１が受け部１２２から外れる。
この状態でケース１０１をカバー１０２から引き離すと、ケース１０１をカバー１０２から取り外すことができる。
【００１９】
また、爪部１１１が受け部１２２から外れる程度に胴部１１２が傾けられた場合、爪部１１１が抑止リブ１２３に当たる。具体的には、棒材１０３が傾斜部１２１の入口側の端部に当たる程度に傾けられて胴部１１２が傾いた場合に、爪部１１１が抑止リブ１２３に当たる。
そのため、胴部１１２がたわむ範囲は制限される。具体的には、フック１１０が胴部１１２の根元で曲げられる角度が制限される。
これにより、フック１１０の破損を防ぐことができる。具体的には、フック１１０が胴部１１２の根元で折れてしまうことを防ぐことができる。
【００２０】
＊＊＊実施の形態１の効果＊＊＊
棒材１０３を使用した着脱操作を行う際のガイドとして傾斜部１２１が設けられることにより、棒材１０３の操作範囲を明確にすることが可能となる。
可撓性を有するフック１１０の動きを制限する抑止リブ１２３が設けられることにより、フック１１０の破損を防止することが可能となる。
抑止リブ１２３は、棒材１０３を工具として用いた作業によってフック１１０が破損してしまわないようにするために設けられているが、他の何らかの外力が加わった際にも抑止力を発揮する。
【００２１】
＊＊＊他の構成＊＊＊
棒材１０３が傾けられる範囲は傾斜部１２１によって制限される。その結果、フック１１０の根元がたわむ範囲も制限される。そのため、フック１１０の破損を防ぐ目的で、カバー１０２に抑止リブ１２３を設けなくてもよい。つまり、抑止リブ１２３はフック１１０の一部が当たる箇所に設けなくてもよい。
【００２２】
実施の形態２．
カバー１０２の取り外しを容易にするための構造をフック１１０に設ける形態について、図５から図７に基づいて説明する。但し、実施の形態１と重複する説明は省略または簡略する。
【００２３】
＊＊＊構成の説明＊＊＊
図５に、ケース１０１がカバー１０２に取り付けられたときの固定部１０９の側断面を示す。
フック１１０は、爪部１１１と胴部１１２との他に、突起部１１３を有する。
突起部１１３は、胴部１１２から突き出た部分であって、胴部１１２が傾けられた場合に受け部１２２に当たる部分である。
その他の構造は、実施の形態１と同じである。
【００２４】
＊＊＊動作の説明＊＊＊
図６および図７に基づいて、ケース１０１がカバー１０２から取り外されるときの固定部１０９の動作について説明する。
図６において、棒材１０３が挿入部１２０に挿入されて、棒材１０３の先端が隙間１２９に入れられる。そして、棒材１０３が傾斜部１２１に向けて傾けられると、固定部１０９は図７の状態になる。
図７において、棒材１０３が傾斜部１２１に向けて傾けられると、棒材１０３の先端で爪部１１１が押し下げられる。
このとき、フック１１０は、胴部１１２がたわんで、胴部１１２が傾いて、爪部１１１が受け部１２２から外れる。
【００２５】
また、爪部１１１が受け部１２２から外れる際に突起部１１３の先端が受け部１２２の背面に当たり、突起部１１３が受け部１２２を押し出す。これにより、カバー１０２をケース１０１から取り外すことが容易になる。
【００２６】
＊＊＊実施の形態２の効果＊＊＊
実施の形態１と同じ効果の他に、以下のような効果を奏することができる。
ケース１０１に設けられたフック１１０がカバー１０２に設けられた受け部１２２から外れる際に、フック１１０の突起部１１３が受け部１２２を押し出す。これにより、カバー１０２をケース１０１から取り外すことが容易になる。
【００２７】
実施の形態３．
フック１３０をカバー１０２に設ける形態について、図８から図１０に基づいて説明する。但し、実施の形態１と重複する説明は省略または簡略する。
【００２８】
＊＊＊構成の説明＊＊＊
図８に、カバー１０２がケース１０１に取り付けられたときの固定部１０９の側断面を示す。
カバー１０２は、ケース１０１の一部に引っ掛けられるフック１３０を有する。フック１３０は可撓性を持つ。つまり、フック１３０は、たわませることが可能である。
また、カバー１０２は、ケース１０１の一部に引っ掛けられたフック１３０を外すための棒材が挿入される挿入部１３９を有する。
【００２９】
ケース１０１は、傾斜部１４０と受け部１４１とを有する。
傾斜部１４０は、斜めに形成されて挿入部１３９に対応する箇所に設けられる。
受け部１４１は、傾斜部１４０の奥側に位置してフック１３０が引っ掛かる部分である。
【００３０】
フック１３０は、鉤状の部材であり、爪部１３１と胴部１３２とを有する。
爪部１３１は、受け部１４１に引っ掛けられる部分である。
胴部１３２は、爪部１３１に繋がった部分である。具体的には、胴部１３２の先端の部分に爪部１３１が設けられている。
【００３１】
爪部１３１は、受け部１４１に先端が引っ掛けられた場合に胴部１３２と受け部１４１との間に棒材の先端が入る隙間１４９が生じる程度の高さを有する。
【００３２】
さらに、カバー１０２は、ケース１０１が設けられる方に向けて突き出た抑止リブ１３４を有する。
抑止リブ１３４は、板状の部材であり、爪部１３１が受け部１４１から外れる程度に胴部１３２が傾けられた場合にフック１３０の一部が当たる箇所に設けられている。具体的には、抑止リブ１３４は、胴部１３２が当たる箇所に設けられている。
【００３３】
＊＊＊動作の説明＊＊＊
図９および図１０に基づいて、ケース１０１がカバー１０２から取り外されるときの固定部１０９の動作について説明する。
図９において、棒材１０３が挿入部１３９に挿入されて、棒材１０３の先端が隙間１４９に入れられる。そして、棒材１０３が傾斜部１４０に向けて傾けられると、固定部１０９は図１０の状態になる。
【００３４】
図１０において、棒材１０３が傾斜部１４０に向けて傾けられると、棒材１０３の先端で胴部１３２が押し下げられる。
このとき、フック１１０は、胴部１３２がたわんで、胴部１３２が傾いて、爪部１３１が受け部１４１から外れる。
この状態でケース１０１をカバー１０２から引き離すと、ケース１０１をカバー１０２から取り外すことができる。
【００３５】
また、爪部１３１が受け部１４１から外れる程度に胴部１３２が傾けられた場合、胴部１３２の背面が抑止リブ１３４の先端に当たる。具体的には、棒材１０３が傾斜部１４０の入口側の端部に当たる程度に傾けられて胴部１３２が傾いた場合に、胴部１３２の背面が抑止リブ１３４の先端に当たる。
そのため、胴部１３２がたわむ範囲は制限される。具体的には、フック１３０が胴部１３２の根元で曲げられる角度が制限される。
これにより、フック１３０の破損を防ぐことができる。具体的には、フック１３０が胴部１３２の根元で折れてしまうことを防ぐことができる。
【００３６】
＊＊＊実施の形態３の効果＊＊＊
棒材１０３を使用した着脱操作を行う際のガイドとして傾斜部１４０が設けられることにより、棒材１０３の操作範囲を明確にすることが可能となる。
可撓性を有するフック１３０の動きを制限する抑止リブ１３４が設けられることにより、フック１３０の破損を防止することが可能となる。
【００３７】
＊＊＊他の構成＊＊＊
抑止リブ１３４がカバー１０２から突き出る長さを長くしてよい。つまり、胴部１３２が傾けられた場合に爪部１３１が抑止リブ１３４に当たるようにしてもよい。
棒材１０３が傾けられる範囲は傾斜部１４０によって制限される。その結果、フック１３０の根元がたわむ範囲も制限される。そのため、フック１３０の破損を防ぐ目的で、カバー１０２に抑止リブ１３４を設けなくてもよい。つまり、抑止リブ１３４はフック１３０の一部が当たる箇所に設けなくてもよい。
【００３８】
実施の形態４．
フック１３０がカム構造を有する形態について、図１１から図１３に基づいて説明する。但し、実施の形態３と重複する説明は省略または簡略する。
【００３９】
＊＊＊構成の説明＊＊＊
図１１に、ケース１０１がカバー１０２に取り付けられたときの固定部１０９の側断面を示す。
カバー１０２は、ケース１０１の受け部１４１に引っ掛けられるフック１３０を有する。
フック１３０は、爪部１３１と胴部１３２とを有する。
爪部１３１は、受け部１４１の先端に引っ掛けられる。
胴部１３２は、受け部１４１が配置される方に盛り上がった隆起部１３３を有して、直進カムの形状を成す。
隆起部１３３は、受け部１４１の側面に向けて盛り上がっている。
【００４０】
＊＊＊動作の説明＊＊＊
図１２および図１３に基づいて、ケース１０１がカバー１０２から取り外されるときの固定部１０９の動作について説明する。
図１２において、棒材１０３が挿入部１３９に挿入される。そして、棒材１０３が押し込まれると、固定部１０９は図１３の状態になる。
【００４１】
図１３において、棒材１０３が挿入部１３９から奥に押し込まれると、棒材１０３の先端が受け部１４１の側面と隆起部１３３との間に入る。
このとき、フック１３０は、胴部１３２がたわんで、胴部１３２が受け部１４１の側面から離れる方に傾いて、爪部１３１が受け部１４１の先端から外れる。
【００４２】
また、爪部１３１が受け部１４１の先端から外れる程度に胴部１３２が傾けられた場合、胴部１３２の背面が抑止リブ１３４の先端に当たる。具体的には、棒材１０３が傾斜部１４０の奥側の端部およびフック１３０の根元に向けて押し込まれた場合に、胴部１３２の背面が抑止リブ１３４の先端に当たる。
そのため、胴部１３２の根元がたわむ範囲が制限される。具体的には、フック１３０が胴部１３２の根元で曲げられる角度が制限される。
これにより、フック１３０の破損を防ぐことができる。具体的には、フック１３０が胴部１３２の根元で折れてしまうことを防ぐことができる。
【００４３】
＊＊＊実施の形態４の構成＊＊＊
棒材１０３を傾ける操作をしなくても棒材１０３を押し込む操作をすれば、フック１３０を受け部１４１から外すことができる。
可撓性を有するフック１３０の動きを制限する抑止リブ１３４が設けられることにより、フック１３０の破損を防止することが可能となる。
【００４４】
＊＊＊他の構成＊＊＊
抑止リブ１３４がカバー１０２から突き出る長さを長くしてよい。つまり、胴部１３２が傾けられた場合に爪部１３１が抑止リブ１３４に当たるようにしてもよい。
棒材１０３は傾斜部１４０の奥側の端部とフック１３０の根元との間に挟まるところよりも奥には挿入されない。そのため、フック１３０の破損を防ぐ目的で、カバー１０２に抑止リブ１３４を設けなくてもよい。つまり、抑止リブ１３４はフック１３０の一部が当たる箇所に設けなくてもよい。
【００４５】
＊＊＊実施の形態の補足＊＊＊
各実施の形態は、好ましい形態の例示であり、本発明の技術的範囲を制限することを意図するものではない。各実施の形態は、部分的に実施してもよいし、他の形態と組み合わせて実施してもよい。
【符号の説明】
【００４６】
１００  筐体、１０１  ケース、１０２  カバー、１０３  棒材、１０９  固定部、１１０  フック、１１１  爪部、１１２  胴部、１１３  突起部、１２０  挿入部、１２１  傾斜部、１２２  受け部、１２３  抑止リブ、１２９  隙間、１３０  フック、１３１  爪部、１３２  胴部、１３３  隆起部、１３４  抑止リブ、１３９  挿入部、１４０  傾斜部、１４１  受け部、１４９  隙間。
【図１】
2017141319.tif 000003
【図２】
2017141319.tif 000004
【図３】
2017141319.tif 000005
【図４】
2017141319.tif 000006
【図５】
2017141319.tif 000007
【図６】
2017141319.tif 000008
【図７】
2017141319.tif 000009
【図８】
2017141319.tif 000010
【図９】
2017141319.tif 000011
【図１０】
2017141319.tif 000012
【図１１】
2017141319.tif 000013
【図１２】
2017141319.tif 000014
【図１３】
2017141319.tif 000015
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
物が収められるケースと、
前記ケースに取り付けられるカバーとを備える筐体であって、
前記ケースは、
前記カバーの一部に引っ掛けられるフックを有し、
前記カバーは、
引っ掛けられたフックを外すための棒材が挿入される筒状の挿入部を有し、
前記挿入部は、
斜めに形成されて筒状の一部を構成する傾斜部と、
前記傾斜部から筒状の内部に向けて突き出た部分であって前記フックが引っ掛かる部分である受け部とを有し、
前記フックが前記受け部に引っ掛けられた場合に前記受け部のうちの前記傾斜部に繋がる根元の部分と前記フックのうちの前記受け部に引っ掛けられた部分との間に前記棒材の先端が入る隙間が生じ、
前記棒材が前記挿入部に挿入されて、前記棒材の先端が前記隙間に入れられて、前記棒材が前記傾斜部に向けて傾けられると、前記フックが前記受け部から外れる
筐体。
【請求項２】
前記カバーは、
前記ケースが設けられる方に向けて突き出たリブであって前記フックが前記受け部から外れる程度に前記フックが傾けられた場合に前記フックが当たる箇所に設けられたリブである抑止リブを有する
請求項１に記載の筐体。
【請求項３】
前記フックは、
前記受け部に引っ掛けられる爪部と、
前記爪部に繋がった胴部と、
前記胴部から突き出た部分であって前記胴部が傾けられた場合に前記受け部に当たる部分である突起部と
を有する請求項１に記載の筐体。
【請求項４】
前記カバーは、
前記ケースが設けられる方に向けて突き出たリブであって前記爪部が前記受け部から外れる程度に前記胴部が傾けられた場合に前記フックの一部が当たる箇所に設けられたリブである抑止リブを有する
請求項３に記載の筐体。
【請求項５】
物が収められるケースと、
前記ケースに取り付けられるカバーとを備える筐体であって、
前記カバーは、
前記ケースの一部に引っ掛けられるフックと、
前記ケースの一部に引っ掛けられたフックを外すための棒材が挿入される挿入部とを有し、
前記ケースは、
斜めに形成されて前記挿入部に対応する箇所に設けられる傾斜部と、
前記フックが引っ掛かる部分である受け部とを有し、
前記フックは、
前記受け部に引っ掛けられる爪部と、
前記爪部に繋がった胴部とを有し、
前記受け部に前記爪部が引っ掛けられた場合に前記胴部と前記受け部との間に前記棒材の先端が入る隙間が生じ、
前記棒材が前記挿入部に挿入されて、前記棒材の先端が前記隙間に入れられて、前記棒材が前記傾斜部に向けて傾けられると、前記爪部が前記受け部から外れる
筐体。
【請求項６】
前記カバーは、
前記ケースが設けられる方に向けて突き出たリブであって前記爪部が前記受け部から外れる程度に前記胴部が傾けられた場合に前記フックの一部が当たる箇所に設けられたリブである抑止リブを有する
請求項５に記載の筐体。
【請求項７】
物が収められるケースと、
前記ケースに取り付けられるカバーとを備える筐体であって、
前記カバーは、
前記ケースの一部に引っ掛けられるフックと、
前記ケースの一部に引っ掛けられたフックを外すための棒材が挿入される挿入部とを有し、
前記ケースは、
斜めに形成されて前記挿入部に対応する箇所に設けられる傾斜部と、
前記フックが引っ掛かる部分である受け部とを有し、
前記フックは、
前記受け部に引っ掛けられる爪部と、
前記爪部に繋がった胴部とを有し、
前記胴部は、
前記受け部が配置される方に盛り上がった隆起部を有して、直進カムの形状を成す
筐体。
【請求項８】
前記棒材が前記挿入部に挿入されて押し込まれると、前記棒材の先端が前記受け部と前記隆起部との間に入って、前記胴部が前記受け部から離れる方に傾いて、前記爪部が前記受け部から外れる
請求項７に記載の筐体。
【請求項９】
前記カバーは、
前記ケースが設けられる方に向けて突き出たリブであって前記爪部が前記受け部から外れる程度に前記胴部が傾けられた場合に前記フックの一部が当たる箇所に設けられたリブである抑止リブを有する
請求項８に記載の筐体。
【国際調査報告】
2017141319.tif 000016
2017141319.tif 000017
2017141319.tif 000018
2017141319.tif 000019